(57)【要約】      （修正有） 【課題】都市部や建屋隣接地域等の狭い敷地でも短期間で容易に基礎工事を行え、残土の量も少なく、環境上でも優れた、杭の杭頭と柱脚部（建築物フレーム）との接合構造を提供する。 【解決手段】杭頭と柱脚部の接合構造は、中央部に孔部を備え、孔部に杭１０の杭頭を嵌め込んだ状態で杭に溶着される杭側プレート２０と、柱脚部に固定され、且つ、底面に凹部を備えた柱側プレート４０とを備える。中央に孔部を設けた中間プレート５０を介在させてもよい。杭頭と柱脚部の接合方法は、地盤に埋設された杭に、中央部に孔部を備えた杭側プレートを嵌め込み溶着する工程と、杭側プレートを溶着後、杭を切断する工程と、柱脚部に固定され、その底面に凹部を設けた柱側プレートを杭側プレートに接合し固定する工程とにより構成される。 【選択図】図３
0003217034.tif 000002
【実用新案登録請求の範囲】
【請求項１】
地盤に埋設された杭の杭頭に建築物の柱脚部を接合する、杭頭と柱脚部の接合構造であって、
中央部に孔部を設け、当該孔部に前記杭の杭頭を嵌め込んだ状態で杭に溶着される杭側プレートと、
柱脚部に固定され、且つ、底面に凹部を設けた柱側プレートとを備えたことを特徴とする杭頭と柱脚部の接合構造。
【請求項２】
中央に孔部を設けた中間プレートを、杭側プレートと柱側プレートの間に介在させたことを特徴とする請求項１に記載の杭頭と柱脚部の接合構造。
【考案の詳細な説明】
【技術分野】
【０００１】
本考案は、建築物の基礎構造に関するものであり、特に建築物を支える杭の杭頭と建築物の柱等の建築物フレームとを接合する構造に関する。
【背景技術】
【０００２】
従来、建築物の基礎としてコンクリートで基礎梁を構築することが広く行われていた。しかし、基礎工事の期間短縮の要請、コンクリートによる地盤の汚染、掘削により生じる残土の処理等、諸々の問題が生じていた。
【０００３】
そこで、下端に切削刃や羽根を備えた鋼管杭を地盤にねじ込んで埋設し、この鋼管杭に溶接された杭側プレートに、柱に溶接された柱側プレートをボルトで締結して基礎とする施工法が提案された（特許文献１参照）。
【０００４】
この施工法においては、コンクリートを使用しないため、基礎工事の期間を短縮することができ、地盤の汚染もなく、杭の埋設にも残土が発生しないという利点があった。
【先行技術文献】
【特許文献】
【０００５】
【特許文献１】特開平１１−１８１７９０号公報
【考案の概要】
【考案が解決しようとする課題】
【０００６】
上記特許文献１に記載の考案は残土の発生を抑制可能であり、また基礎梁を構築する場合よりもはるかに小さな面積を掘削するだけで済み、狭隘な場所での建築物の構築に適した方法であった。しかし、杭頭にキャップと取り付け、当該キャップに設けたボルトで建築物フレームの高さ調整を行うという煩雑な手段を採用しており、基礎工事の期間短縮という要請には十分こたえられるものではなかった。
【０００７】
そこで本考案では都市部や建屋隣接地域等の狭い敷地でも短期間で容易に基礎工事を行え、残土の量も少なく、環境上でも優れた、杭の杭頭と建築物フレームとを接合する杭頭接続構造を提供することを目的とする。
【０００８】
更には建築現場においては、柱の中心位置と杭の中心位置がずれることが通常である。すなわち、現場において杭を、建築物の設計図上の柱の位置通りに打ち込むことは困難である。かような位置のずれが生じた場合に、かかるずれを吸収することが可能な接合方法を提供することを目的とする。
【課題を解決するための手段】
【０００９】
上記の目的を達成する本考案の構成は以下の通りである。
【００１０】
（１) 請求項１に記載の杭頭と柱脚部の接合構造は、中央部に孔部を備え、当該孔部に前記杭の杭頭を嵌め込んだ状態で杭に溶着される杭側プレートと、柱脚部に固定され、且つ、底面に凹部を備えた柱側プレートとを備えて構成した。
【００１１】
（２) 請求項２に記載の杭頭と柱脚部の接合構造は、請求項１に記載の考案において、中央に孔部を備えた中間プレートを、杭側プレートと柱側プレートの間に介在させて構成した。
【考案の効果】
【００１２】
上記のように構成される本考案が、如何に作用して課題を解決するかを図面を参照しながら概説する。
【００１３】
本考案にかかる杭頭接合構造は、図１に示すように杭１０に杭側プレート２０を嵌め込み、図２に示すように切断面１１で杭１０を切断し、図３に示すように柱３０の下端面である柱脚部に固定された柱側プレート４０と杭側プレート２０を重ね合わせ、ボルト６０で柱側プレート４０と杭側プレート２０を接合するものである。なお、高さ調整が必要な場合には杭側プレート２０と柱脚部４０との間に中間プレート５０を介在させる。
【００１４】
かように基礎梁を構築する必要が無いので、地盤を広範に掘削する必要が無く、コンクリートによる地盤の汚染、掘削により生じる残土の処理といった問題も可及的に抑制可能となる。
【００１５】
更には中間プレート５０を介在させるという高さ調整の手段をも有するものであり、様々な場面で容易に高さ調整を行うことが可能となるものである。
【００１６】
図６は本考案において用いられる、杭側プレート２０を示すものである。仮想点Ａは柱の中心位置に対応するものであり、仮想点Ｂは地中に埋設された杭１０の中心位置に対応するものである。円形の孔部２１の中心が仮想点Ｂに合致するよう孔部２１を形成すれば、図７に示すようにずれを吸収した接合が可能となるのである。この際、柱側プレート４０に凹部４２が設けてあることから、杭側プレート２０から柱３０側に突起した杭１０の突起部分１０ａが接合の邪魔になることはないものである。同様に中間プレート５０の孔部５２もずれに応じた偏心位置に設ければ、ずれを吸収することが可能となるのである。
【図面の簡単な説明】
【００１７】
【図１】杭と杭側プレートとの関係を示す説明図
【図２】地盤に杭を立設した状態を示す説明図
【図３】本考案の分解説明図
【図４】接合状態を示す説明断面図
【図５】杭側プレートの他の実施例の説明図
【図６】孔部を偏心位置に設けた杭側プレートの正面図
【図７】接合状態を示す説明断面図
【考案を実施するための形態】
【００１８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。 
【００１９】
本考案にかかる杭頭接続構造は、建築物を支える杭の杭頭と建築物の柱等の建築物フレームとを接合する構造体である。杭１０と柱３０等の建築物フレームは、地表面にコンクリートを打設して、フーチングや基礎梁を構築して接合する構成ではなく、杭側プレート２０と柱側プレート４０を用いて、地表面から所定の位置において接合する構成である。
【００２０】
杭１０は鋼管杭、鋼管コンクリート杭、既製コンクリート杭、場所打コンクリート杭などを利用できる。
【００２１】
杭側プレート２０は鋼板で矩形状に形成され、中央部には杭１０の頭部が嵌め込まれる孔部２１が形成されている。更に、杭側プレート２０の周囲には、ボルト孔２２が複数箇所に形成されている。
【００２２】
尚、ボルト孔２２は図５に示すように四隅に寄せて形成しても良い。この場合柱側プレー４０に設けるボルト孔４１や中間プレート５０に設けるボルト孔５１も、ボルト孔２２に相対する位置に寄せて形成する。
【００２３】
図２に示されるように、杭１０は地盤に埋設し、建築物フレームの所定高さにあわせて切断面１１で切断される。かかる状態で図４で示されるように、杭１０には杭側プレート２０の孔部２１が嵌め込まれ、杭１０の外周面と孔部２１が溶接部位２３において溶接接合される。これにより、杭側プレート２０に加えられた建築物フレームからの荷重が杭１０に伝達される。
【００２４】
柱３０の下端である柱脚部には、鋼板で矩形状に形成された柱側プレート４０が、杭側プレート２０と対向する位置に、溶接等の方法で固定されている。柱側プレート４０の周囲には、杭側プレート２０に設けられた孔部２１と対向する位置にボルト孔４１が設けられている。
【００２５】
また、柱側プレート４０の底面には、図４に示すように、杭側プレート２０から突設した杭１０が杭側プレート２０と柱側プレート４０の接合の邪魔にならないように、凹部４２が設けられている。
【００２６】
杭側プレート２０と柱側プレート４０との間に介在される中間プレート５０は、杭側プレート２０と同一素材、同一形状のものを利用可能である。
【００２７】
杭側プレート２０のボルト孔２２と、柱側プレート４０のボルト孔４１、更には中間プレート５０のボルト孔５１にはボルト６０が挿通され、このボルト６０でボルト接合されるものである。ボルト６０としては超高力ボルトや高力ボルトなどを利用可能である。
【００２８】
請求項５、請求項６において用いられる杭側プレート２０は、図６に示されるように、孔部２１が偏心位置に設けてある。図示されないが、中間プレート５０の孔部５２も偏心位置に設けることになる。
【符号の説明】
【００２９】
１０・・杭                １１・・切断面        １２・・孔部
１３・・ボルト孔
２０・・杭側プレート      ２１・・孔部          ２２・・ボルト孔
３０・・柱
４０・・柱側プレート      ４１・・ボルト孔      ４２・・凹部
５０・・中間プレート      ５１・・ボルト孔      ５２・・孔部
６０・・ボルト
【図１】
0003217034.tif 000003
【図２】
0003217034.tif 000004
【図３】
0003217034.tif 000005
【図４】
0003217034.tif 000006
【図５】
0003217034.tif 000007
【図６】
0003217034.tif 000008
【図７】
0003217034.tif 000009